(57)【要約】      （修正有）【課題】五種類のメモリカードに対応するファイブインワンメモリカードコネクタの提供。【解決手段】本体の同一側に相互に重畳する二つのスロットが設けられ、該二つのスロット中に複数組の接続端子が配設され、そのうち、第１スロット１２の内側にＳＤカード２１、ＭＭＣカード、ＲＳＭＭＣカードを位置決めする第１位置決め部１２１、ミニＳＤカード２２を位置決めする第２位置決め部１２２、及びミニＳＤカードを案内する案内装置１５が設けられ、第２スロット１３の内側にＴＦカードを位置決めする第３位置決め部１３１が設けられ、ＳＤ、ＭＭＣ、ＲＳＭＭＣ、ミニＳＤ、ＴＦカードと電気装置の電気回路を接続できるファイブインワンメモリカードコネクタが構成されている。【選択図】図１
0003109143.tif 000002
【実用新案登録請求の範囲】
【請求項１】
本体の同一側に重畳する第１スロットと第２スロットが設けられ、この二つのスロット中に複数組の接続端子が配設され、各形式のメモリカードと電気回路の接続を構成するファイブインワンメモリカードコネクタにおいて、
第１スロットの内側にＳＤカード、ＭＭＣカード、ＲＳＭＭＣカードを位置決めする第１位置決め部、ミニＳＤカードを位置決めする第２位置決め部、及びミニＳＤカードを案内する案内装置が設けられ、第２スロットの内側にＴＦカードを位置決めする第３位置決め部が設けられ、ＳＤ、ＭＭＣ、ＲＳＭＭＣ、ミニＳＤ、ＴＦカードと電気装置の電気回路の接続を提供することを特徴とする、ファイブインワンメモリカードコネクタ。
【請求項２】
請求項１記載のファイブインワンメモリカードコネクタにおいて、第１スロット内に第１組の接続端子と第２組の接続端子が設けられ、該第１組の接続端子がＳＤ、ＭＭＣ、ＲＳＭＭＣカードとコネクタの電気回路の接続に用いられ、第２組の接続端子がミニＳＤカードとコネクタの電気回路の接続に用いられ、第２スロット内に設けられた第３組の接続端子がＴＦカードとコネクタの電気回路の接続に用いられることを特徴とする、ファイブインワンメモリカードコネクタ。
【考案の詳細な説明】
【技術分野】
【０００１】
本考案はメモリカードコネクタに係り、特に、ＳＤ（Ｓｅｃｕｒｅ  Ｄｉｇｉｔａｌ
Ｃａｒｄ）、ＭＭＣ（ＭｕｌｔｉＭｅｄｉａ  Ｃａｒｄ）、ＲＳＭＭＣ（Ｒｅｄｕｃｅｄ  Ｓｉｚｅ  ＭｕｌｔｉＭｅｄｉａ  Ｃａｒｄ）、ミニＳＤ（ｍｉｎｉ−Ｓｅｃｕｒｅ
Ｄｉｇｉｔａｌ  Ｃａｒｄ）、ＴＦ（ＴｒａｎｓＦｌａｓｈ  Ｃａｒｄ）カードと電気装置の電気回路の接続を提供するファイブインワンメモリカードコネクタに関する。
【背景技術】
【０００２】
近年、メモリカード（或いはフラッシュメモリカードと称される）形式の保存媒体は軽く薄くコンパクトであり、保存容量が大きく、耐震で、再記録可能な優れた特性により、情報家電、パーソナルコンピュータ或いはポータブルデジタル製品（以下、電気装置と総称する）に広く運用されるようになった。
【０００３】
また、一般にメモリカードを保存媒体とする電気装置、例えば、デジタルカメラ、ＰＤＡ、デジタルオーディオプレイヤー等は、基本的に特定メモリカードをデータ保存媒体とし、現在よく見られるメモリカード形式には、ＣＦ（登録商標）カード、スマートメディア（登録商標）カード、メモリースティックカード、ＳＤ（Ｓｅｃｕｒｅ  Ｄｉｇｉｔａｌ  Ｃａｒｄ）カード、ＭＭＣ（ＭｕｌｔｉＭｅｄｉａ  Ｃａｒｄ）カード、ＲＳＭＭＣ（Ｒｅｄｕｃｅｄ  Ｓｉｚｅ  ＭｕｌｔｉＭｅｄｉａ  Ｃａｒｄ）カードがあり、市場には携帯電話専用に開発されたミニＳＤカード、ＴＦカードがある。
【０００４】
大消費群に対しては、メモリカードがポータブルデジタル製品とコンピュータシステム、コンピュータ周辺設備等の電気装置との間で有効な流通を達成できず、消費者が製品を購入する上での制限を形成する。このため、一部のメモリカードメーカーは、既存のメモリカード規格と相容れるがサイズがやや小さいメモリカードを開発して、体積が比較的小さいポータブルデジタル電気装置の使用に符合させている。例えば、ＳＤ、ＭＭＣカードは外形サイズが同じメモリカードとされ、ＲＳＭＭＣカードのチップ、回路規格（伝送協定）はＭＭＣメモリカードと同じとされるが、外形サイズはＭＭＣカードよりやや小さくされ、同様にミニＳＤカードのチップ、回路規格はＳＤカードと同じであるが、外形サイズはＳＤカードよりやや小さいものとされている。
【０００５】
ＲＳＭＭＣ、ミニＳＤカードの外形は前述のＭＭＣ、ＳＤの二種類のメモリカードと僅かに異なり、これにより、現在の技術に関しては、同時にＳＤ、ＭＭＣ、ＲＳＭＭＣ、ミニＳＤの四種類のメモリカードに共用できるコネクタはあるが、ＴＦカードにも対応できるコネクタはなく、ＴＦカードの推奨に相容性の条件制限が存在した。
【考案の開示】
【考案が解決しようとする課題】
【０００６】
本考案はファイブインワンメモリカードコネクタを提供することを目的とし、それは、コネクタの本体の同一側に重畳する二つのスロットが設けられ、該二つのスロット中に複数組の接続端子が配設され、そのうち、第１スロットの内側にＳＤカード、ＭＭＣカード、ＲＳＭＭＣカードを位置決めする第１位置決め部、ミニＳＤカードを位置決めする第２位置決め部、及びミニＳＤカードを案内する案内装置が設けられ、第２スロットの内側にＴＦカードを位置決めする第３位置決め部が設けられ、ＳＤ、ＭＭＣ、ＲＳＭＭＣ、ミニＳＤ、ＴＦカードと電気装置の電気回路の接続を提供するものとされる。
【課題を解決するための手段】
【０００７】
請求項１の考案は、本体の同一側に重畳する第１スロットと第２スロットが設けられ、この二つのスロット中に複数組の接続端子が配設され、各形式のメモリカードと電気回路の接続を構成するファイブインワンメモリカードコネクタにおいて、
第１スロットの内側にＳＤカード、ＭＭＣカード、ＲＳＭＭＣカードを位置決めする第１位置決め部、ミニＳＤカードを位置決めする第２位置決め部、及びミニＳＤカードを案内する案内装置が設けられ、第２スロットの内側にＴＦカードを位置決めする第３位置決め部が設けられ、ＳＤ、ＭＭＣ、ＲＳＭＭＣ、ミニＳＤ、ＴＦカードと電気装置の電気回路の接続を提供することを特徴とする、ファイブインワンメモリカードコネクタとしている。
請求項２の考案は、請求項１記載のファイブインワンメモリカードコネクタにおいて、第１スロット内に第１組の接続端子と第２組の接続端子が設けられ、該第１組の接続端子がＳＤ、ＭＭＣ、ＲＳＭＭＣカードとコネクタの電気回路の接続に用いられ、第２組の接続端子がミニＳＤカードとコネクタの電気回路の接続に用いられ、第２スロット内に設けられた第３組の接続端子がＴＦカードとコネクタの電気回路の接続に用いられることを特徴とする、ファイブインワンメモリカードコネクタとしている。
【考案の効果】
【０００８】
本考案のファイブインワンメモリカードコネクタは、コネクタの本体の同一側に重畳する二つのスロットが設けられ、該二つのスロット中に複数組の接続端子が配設され、そのうち、第１スロットの内側にＳＤカード、ＭＭＣカード、ＲＳＭＭＣカードを位置決めする第１位置決め部、ミニＳＤカードを位置決めする第２位置決め部、及びミニＳＤカードを案内する案内装置が設けられ、第２スロットの内側にＴＦカードを位置決めする第３位置決め部が設けられ、ＳＤ、ＭＭＣ、ＲＳＭＭＣ、ミニＳＤ、ＴＦカードと電気装置の電気回路の接続を提供する。
【考案を実施するための最良の形態】
【０００９】
本考案のファイブインワンメモリカードコネクタは、コネクタ全体の基本構造が図１、図２に示されるようであり、そのうち、コネクタ１０はカートリッジ状を呈する本体１１を具え、本体１１の同一側に第１、第２スロット１２、１３が重畳するように設けられ、第１、第２スロット１２、１３はメモリカードの挿入位置決めに供され、並びに第１、第２スロット１２、１３中に複数の接続端子が設けられ、該接続端子はメモリカードと電気回路の接続に供される。
【００１０】
本考案のファイブインワンメモリカードコネクタは、ＳＤ、ＭＭＣ、ＲＳＭＭＣ、ミニＳＤ、ＴＦカードと電気装置の電気回路の接続を構成する。これにより、全体のコネクタ１０はそのうちの第１スロット１２の内側に、ＳＤ、ＭＭＣ、ＲＳＭＭＣを位置決めできる第１位置決め部１２１と、ミニＳＤカードを位置決めできる第２位置決め部１２２、及びミニＳＤカードを案内する案内装置１５が設けられ、第２スロット１３中にＴＦカードを位置決めできる第３位置決め部１３１が設けられている。
【００１１】
本実施例では、本体１１の第１スロット１２の深い部分に沿って第１組の接続端子１４１が配設されてＳＤ、ＭＭＣ、ＲＳＭＭＣカードとコネクタ１０の回路接続に供され、並びに第１スロット１２の一側に偏って第２組の接続端子１４２が設けられてミニＳＤカードとコネクタ１０の電気回路の接続に供される。第２スロット１３にその深い部分に沿って第３組の接続端子１４３が配設されてＴＦカードとコネクタ１０の電気回路の接続に供される。
【００１２】
このほか、第１スロット１２内部の案内装置１５はミニＳＤカードを確実に第２組の接続端子１４２が設けられた一側に挿入して位置決めするのを補助する。図４にはＳＤカード２１を以てＳＤ、ＭＭＣ、ＲＳＭＭＣカードとコネクタ１０の挿嵌使用状態が示され、ＳＤカード２１（同じ外型のＭＭＣカードを包含する）は、本体１１の正面より第１スロット１２中に挿入され、このとき、案内装置１５はＳＤカード２１（ＭＭＣカードを包含する）の抜き差し動作に影響を与えず、ＳＤカード２１は第１スロット１２の内側の第１位置決め部１２１の包囲限定／案内作用により、ＳＤカード２１の回路接点が確実に第１組の接続端子と接触する。
【００１３】
図５にはミニＳＤカードとコネクタ１０の挿嵌使用状態が示され、該ミニＳＤカード２２は本体１１の正面より第１スロット１２中に挿入され、このとき案内装置１５がミニＳＤカードを案内して第１スロット１２に設けられた第２組の接続端子１４２の一側に案内し、確実にミニＳＤカード２２とコネクタ１０の電気回路の接続を構成する。
【００１４】
更に、図６に示されるように、ＴＦカード２３は外形サイズが明らかに前述のＳＤ、ＭＭＣ、ＲＳＭＭＣ、ミニＳＤカードより小さく、且つ第２スロット１３はＴＦカード２３の幅に相当するスロットとされ、専属の第３組の接続端子が設けられ、これにより実際の使用時に、ＴＦカード２３は図示されるように直接本体１１の正面より第２スロット１３中に挿入されて第３位置決め部１３１の作用下で、確実にコネクタ１０の電気回路と接続を構成する。
【００１５】
こうして、ＳＤ、ＭＭＣ、ＲＳＭＭＣ、ミニＳＤ、ＴＦカードの５種類のメモリカードと電気装置の電気回路の接続を構成するファイブインワンメモリカードコネクタが構成される。実施時には、直接電気装置の回路にビルトインされうるほか、電気装置に外接されて使用されるカードリーダーとされ得て、大幅に電気装置とＳＤ、ＭＭＣ、ＲＳＭＭＣ、ミニＳＤ、ＴＦカードの保存媒体との接続の適用性と便利性を増し、これにより全体の電気装置の付加機能を高めることができる。
【００１６】
以上述べたように、本考案はＳＤ、ＭＭＣ、ＲＳＭＭＣ、ミニＳＤ、ＴＦカードと電気装置に電気回路の接続を構成させることができるファイブインワンメモリカードコネクタである。以上の実施例は本考案の実施範囲を限定するものではなく、本考案に基づきなしうる細部の修飾或いは改変は、いずれも本考案の請求範囲に属するものとする。
【図面の簡単な説明】
【００１７】
【図１】本考案のファイブインワンメモリカードコネクタの外観立体図である。
【図２】本考案のファイブインワンメモリカードコネクタの正面構造図である。
【図３】本考案のファイブインワンメモリカードコネクタの平面構造図である。
【図４】本考案中、ＳＤカードとコネクタの挿嵌状態の外観立体図である。
【図５】本考案中、ミニＳＤカードとコネクタの挿嵌状態の外観立体図である。
【図６】本考案中、ＴＦカードとコネクタの挿嵌状態の外観立体図である。
【符号の説明】
【００１８】
１０  コネクタ                    １４２  第２組の接続端子
１１  本体                        １４３  第３組の接続端子
１２  第１スロット                １５  案内装置
１２１  第１位置決め部            ２１  ＳＤカード
１２２  第２位置決め部            ２２  ミニＳＤカード
１３  第２スロット                ２３  ＴＦカード
１３１  第３位置決め部
１４１  第１組の接続端子
【図１】
0003109143.tif 000003
【図２】
0003109143.tif 000004
【図３】
0003109143.tif 000005
【図４】
0003109143.tif 000006
【図５】
0003109143.tif 000007
【図６】
0003109143.tif 000008